(57)【要約】【課題】利用者にとって利便性の高い足掛けを提供すること。【解決手段】座位立位可変机１の天板１１は、自然人により立位で用いられるのに適する高さに設定可能である。机面上下昇降部１２、脚部１３、キャスター１４からなる１以上の脚は、前記天板を支える。フィジェットバー１５は、前記脚に備えられ、立位の前記自然人が足を置いて利用するための、所定の範囲において可動する。また、フィジェットバー保持部１６は、前記フィジェットバー１５を、利用されない状態として保持する。【選択図】図１
2020065925.tif 000002
【特許請求の範囲】
【請求項１】
自然人により立位で用いられるのに適する高さに設定可能である天板と、
前記天板を支える１以上の脚と、
前記脚に備えられ、立位の前記自然人が足を置いて利用するための、所定の範囲において可動するフィジェットバーと、
を備える机。
【請求項２】
前記フィジェットバーを、利用されない状態として保持する保持部、
をさらに備える請求項１に記載の机。
【請求項３】
前記フィジェットバーは、
前記自然人が所定の作業をするのに適するとして予め設定された範囲の中から選択されたパラメータに基づいて設定された奥行と、
前記自然人が所定の作業をするのに適するとして予め設定された範囲の中から選択されたパラメータに基づいて設定された高さとを有する、
請求項１又は２に記載の机。
【請求項４】
前記フィジェットバーは、
前記自然人が長時間作業をするのに適するとして予め設定された範囲の中から選択されたパラメータに基づいて設定された長さを有する、
請求項１乃至３のうちいずれか１項に記載の机。
【発明の詳細な説明】
【技術分野】
【０００１】
本発明は、机に関する。
【背景技術】
【０００２】
これまで、立位の姿勢（以下、単に「立位」と呼ぶ）の利用者により利用される机において、脚を乗せるフットレストが存在する。例えば、新たに取付のための部品を用意することなく、支柱が複数あるテーブル（机）に対してもフットレストとして適用可能な足掛リングの取付け装置に関する技術が提案されている（例えば、特許文献１参照）。
【先行技術文献】
【特許文献】
【０００３】
【特許文献１】特開２００４−２０２０３０号公報
【発明の概要】
【発明が解決しようとする課題】
【０００４】
しかしながら、特許文献１を含む従来の技術では、足掛け（フットレスト）は、設計された一か所に固定されているに過ぎず、利用者の夫々に適した配置であるとは言えなかった。
【０００５】
本発明は、利用者にとって利便性の高い足掛けを提供することを目的とする。
【課題を解決するための手段】
【０００６】
上記目的を達成するため、本発明の一態様の机は、
自然人により立位で用いられるのに適する高さに設定可能である天板と、
前記天板を支える１以上の脚と、
前記脚に備えられ、立位の前記自然人が足を置いて利用するための、所定の範囲において可動するフィジェットバーと、
を備える。
【発明の効果】
【０００７】
本発明によれば、利用者にとって利便性の高い足掛けを提供することができる。
【図面の簡単な説明】
【０００８】
【図１】本発明の机の一実施形態に係る座位立位可変机の立位状態における斜視図である。
【図２】図１の座位立位可変机の座位状態における斜視図である。
【図３】図２の座位立位可変机の正面図である。
【図４】図２の座位立位可変机の右側面図である。
【図５】図２の座位立位可変机の底面図である。
【図６】図１の座位立位可変机を利用する利用者の姿勢のうち、座位立位可変机に寄りかからない姿勢及び寄りかかる姿勢の例を示す図である。
【図７】図１の座位立位可変机が備えるフィジェットバーの奥行、高さ、及び振り幅の検討に係る実験器具の一例を示す図である。
【図８】図６の利用者の姿勢のうち座位立位可変机に寄りかからない姿勢における、フィジェットバーの奥行及び高さの実験結果を示す図である。
【図９】図６の利用者の姿勢のうち座位立位可変机に寄りかかる姿勢における、フィジェットバーの奥行及び高さの実験結果を示す図である。
【図１０】図６の利用者の姿勢のうち座位立位可変机に寄りかからない姿勢における、フィジェットバーの振り幅の実験結果を示す図である。
【図１１】図６の利用者の姿勢のうち座位立位可変机に寄りかかる姿勢における、フィジェットバーの振り幅の実験結果を示す図である。
【図１２】図１の座位立位可変机に備えられるフィジェットバーの有効性に関する比較に係る実験器具の一例を示す図である。
【図１３】図６の利用者の姿勢のうち座位立位可変机に寄りかからない姿勢における、フィジェットバーの有効性の実験結果を示す図である。
【図１４】図６の利用者の姿勢のうち座位立位可変机に寄りかかる姿勢における、フィジェットバーの有効性の実験結果を示す図である。
【発明を実施するための形態】
【０００９】
以下、本発明の実施形態について、図面に基づいて説明する。
【００１０】
なお、以下の説明では、特に断りのない限り、次のように定義する方向を用いるものとする。
即ち、以下、重力が働く方向と垂直な面（以下、「水平面」と適宜呼ぶ）を、軸Ｘ及び軸ＹからなるＸ−Ｙ平面と呼ぶ。
本実施形態における座位立位可変机は、Ｘ−Ｙ平面に設置されるものとして、Ｘ−Ｙ平面と略平行に長方形状の天板を備えるものとする。なお、座位立位可変机の利用者は、天板の長手方向に対向して着座し、利用しているものとして説明する。
ここで、Ｘ−Ｙ平面において、天板の短手方向に三次元直交座標系の軸Ｘが取られるものとする。この場合における、座位立位可変机側からみて、利用者が座る側の方向を、「軸Ｘが正の方向」と呼び、この反対方向を、「軸Ｘが負の方向」と呼ぶものとする。
また、Ｘ−Ｙ平面において、天板の長手方向に三次元直交座標系の軸Ｙが取られるものとする。この場合における、利用者からみて、右側の向きを、「軸Ｙが正の方向」と呼び、この反対方向を、「軸Ｙが負の方向」と呼ぶものとする。
また、重力が働く方向と逆の方向に軸Ｚ及びその方向をとる。即ち、座位立位可変机が設置された水平面（所謂、床面）に対して高さが高くなる方向を、「軸Ｚが正の方向」と呼び、この反対方向を「軸Ｚが負の方向」と呼ぶものとする。
【００１１】
図１は、本発明の机の一実施形態に係る座位立位可変机の立位状態における斜視図である。
図２は、図１の座位立位可変机の座位状態における斜視図である。
図３は、図２の座位立位可変机の正面図である。
図４は、図２の座位立位可変机の右側面図である。
図５は、図２の座位立位可変机の底面図である。
【００１２】
図１に示すように、座位立位可変机１は、天板１１と、机面上下昇降部１２Ｒ，１２Ｌと、脚部１３Ｒ，１３Ｌと、キャスター１４ＲＦ，１４ＲＢ，１４ＬＦ，１４ＬＢと、フィジェットバー１５と、フィジェットバー保持部１６と、を備える。
なお、以下、図１に示すように、天板１１を構成する面のうち軸Ｚが正の方向の面１１Ｔを、「上面１１Ｔ」と呼ぶ。また、天板１１を構成する面のうち、上面１１Ｔと対の逆の面１１Ｂを、「下面１１Ｂ」と呼ぶ。
【００１３】
ここで、座位立位可変机１の構成要素のうち軸Ｙが正の方向（利用者にとって右側）に配置されている構成要素には、「Ｒ」を含む符号が付されている。また、座位立位可変机１の構成要素のうち軸Ｙが負の方向（利用者にとって左側）に配置されている構成要素には、「Ｌ」を含む符号が付されている。また、座位立位可変机１の構成要素のうち軸Ｘが正の方向（即ち、利用者にとって手前側）に配置されている構成要素には、「Ｆ」を含む符号が付されている。また、座位立位可変机１の構成要素のうち軸Ｘが負の方向（即ち、利用者にとって奥側）に配置されている構成要素には、「Ｂ」を含む符号が付されている。
また、以下、机面上下昇降部１２Ｒ，１２Ｌを個々に区別する必要が無い場合、これらをまとめて、「机面上下昇降部１２」と呼ぶ。また、脚部１３Ｒ，１３Ｌを個々に区別する必要がない場合、これらをまとめて「脚部１３」と呼ぶ。また、キャスター１４ＲＦ，１４ＲＢ，１４ＬＦ，１４ＬＢを個々に区別する必要が無い場合、これらをまとめて、「キャスター１４」と呼ぶ。
なお、以下、天板１１乃至フィジェットバー保持部１６の夫々の座位立位可変机１の構成要素を「パーツ」とも呼ぶ。
【００１４】
ここで、図１の座位立位可変机１は、立位の利用者により利用される状態で描かれている。詳細は後述するが、フィジェットバー１５は、図１等に示すように、座位立位可変机１の脚部１３Ｒの支持軸１３ＡＲと、脚部１３Ｌの支持軸１３ＡＬとに支持されている。また、フィジェットバー１５は、床面と平行な足掛部位１５Ａを有する。立位の利用者は、フィジェットバー１５の足掛部位１５Ａに片足を乗せて、座位立位可変机１を利用する。
【００１５】
また、詳細については後述するが、座位立位可変机１は、机面上下昇降部１２を有することで、天板１１の上面１１Ｔの高さを変更されることが可能である。即ち例えば、図２に示すように、座位立位可変机１は、机面上下昇降部１２を有することで、天板１１の上面１１Ｔの高さを下げられることができる。この場合、利用者は、図示せぬ椅子を利用することで、座位の姿勢（以下、単に「座位」と呼ぶ）で座位立位可変机１を利用することもできる。座位立位可変机１の座位の利用者により利用される状態については、図２等を用いて後述する。
【００１６】
なお、詳細は後述するが、座位の利用者は、座位において利用しないフィジェットバー１５をフィジェットバー保持部１６に保持させることができる。この場合、フィジェットバー１５は、座位において邪魔になる位置ではない位置に保持される。ここで、図２乃至図５の座位立位可変机１は、座位の利用者に利用される天板１１の上面１１Ｔの高さで描かれているが、説明や図示の簡単のため、フィジェットバー１５はフィジェットバー保持部１６に保持されていない状態で描かれている。
【００１７】
以下、本明細書において、フィジェットバー１５の「奥行」とは、フィジェットバー１５の足掛部位１５Ａと、天板１１の上面１１Ｔの４つの辺の中で、自然人（利用者）が利用している状態において、その自然人の腹部と対向する辺との、軸Ｘの方向の長さをいう。つまり、図１や図４等に示すように、フィジェットバー１５の足掛部位１５Ａと、天板１１の軸Ｘが正の方向の辺との軸Ｘ方向の長さＤが、フィジェットバー１５の奥行Ｄである。
また、本明細書において、フィジェットバー１５の「高さ」とは、フィジェットバー１５の足掛部位１５Ａと、座位立位可変机１が設置された床面からの長さをいう。つまり、図１や図４等に示すように、フィジェットバー１５の足掛部位１５Ａと、座位立位可変机１の設置された水平面からの長さＨが、フィジェットバー１５の高さＨである。
また、本明細書において、フィジェットバー１５の「長さ」とは、詳細は後述するが、フィジェットバー１５の足掛部位１５Ａの回転半径となる長さをいう。つまり、図３や図４等に示すように、フィジェットバー１５の足掛部位１５Ａと、フィジェットバーを支持する、脚部１３Ｒの支持軸１３ＡＲや脚部１３Ｌの支持軸１３ＡＬとの軸Ｚの方向の長さＬが、フィジェットバー１５の長さＬである。なお、以下、支持軸１３ＡＲと、支持軸１３ＡＬとを個々に区別する必要が無い場合、これらをまとめて、「支持軸１３Ａ」と呼ぶ。
【００１８】
以下、図１乃至図５を用いて、座位立位可変机１を構成する夫々のパーツの相互の配置及び機能について説明する。
【００１９】
天板１１は、座位立位可変机１のうち軸Ｚが正の方向に備えられた、Ｘ−Ｙ平面に略平行な板である。利用者は、天板１１の上面１１Ｔの上（軸Ｚが正の方向）に適宜必要なものを置いて、作業等を行う。
【００２０】
机面上下昇降部１２は、天板１１を上下に昇降することを可能とする、天板１１の軸Ｚが負の方向の面、即ち、天板１１の下面１１Ｂに接続されて設けられたパーツである。机面上下昇降部１２Ｒ，１２Ｌの夫々は、軸Ｙが正の方向及び軸Ｙが負の方向の夫々に設けられている。
【００２１】
机面上下昇降部１２は、天板１１を上下に昇降することを可能とするため、所定の軸Ｚの方向に伸縮する機構を有する。机面上下昇降部１２の軸Ｚの方向に伸縮する機構として任意の機構が採用されてよい。ただし、机面上下昇降部１２の軸Ｚの方向に伸縮する機構は、利用者により、「ワンタッチ、短時間、簡単な操作で天板１１を上下に昇降」でき、「利用者は正しい座位及び立位の姿勢をとること」ができる機構が採用されると好適である。
利用者は、机面上下昇降部１２により、天板１１の高さを、座位において適切な高さと、立位において適切な高さとに変更することが可能である。更に言えば、利用者の夫々にとって適切な高さの夫々は、利用者の身長等により異なる。そこで、机面上下昇降部１２は、複数の天板の高さに変更することが可能である。
また例えば、詳細は後述するが、利用者は座位立位可変机１に寄りかかるか否かにより、立位において適切な高さが異なる。そこで、机面上下昇降部１２は、利用者が座位立位可変机１に寄りかかるか否かの夫々に対応した、適切な高さの夫々に変更することが可能である。
【００２２】
脚部１３は、机面上下昇降部１２の軸Ｚが負の方向に接続されて設けられたパーツである。脚部１３Ｒ，１３Ｌの夫々は、軸Ｙが正の方向及び軸Ｙが負の方向の夫々に設けられている。脚部１３は、軸Ｚが負の方向に伸びる部材と、軸Ｘが正の方向に伸びる部材と、軸Ｘが正の方向且つ軸Ｚが正の方向に位置する部材と、を備える。
【００２３】
脚部１３の軸Ｚが負の方向に伸びる部材及び軸Ｘが正の方向に伸びる部材は、主として机面上下昇降部１２等の重量を支えることに資する部材であって、机面上下昇降部１２に対してＺ軸が負の方向に接続されて設けられる。
【００２４】
脚部１３の軸Ｘが正の方向且つ軸Ｚが正の方向に位置する部材は、脚部１３の軸Ｚが負の方向に伸びる部材及び軸Ｘが正の方向に伸びる部材の夫々と接続して設けられている。また、脚部１３の軸Ｘが正の方向且つ軸Ｚが正の方向に位置する部材は、後述するフィジェットバー１５を支持する脚部１３の支持軸１３Ａを有する。
【００２５】
脚部１３は、上述の各部材の配置により、机面上下昇降部１２の軸Ｚの方向の長さを確保した上で、強度を持たせることができる。即ち、脚部１３が上述の構造をとることで、軸Ｚの方向の長さが長い机面上下昇降部１２が採用される。これにより、利用者は、自身にとって適切な天板１１の上面１１Ｔの高さに昇降可能となる。逆に言えば、机面上下昇降部１２の軸Ｚの方向の長さが短い場合、利用者は、目的の高さに天板１１を上下に昇降することができなくなってしまう。換言すれば、脚部１３の構造は、図１に描かれた上述の例に限らず、利用者は、自身にとって適切な天板１１の上面１１Ｔの高さに昇降可能な机面上下昇降部１２が採用され得る構造であればよい。
【００２６】
キャスター１４は、脚部１３の軸Ｚが負の方向に接続されて設けられる回転するパーツである。キャスター１４は、適宜回転することにより、座位立位可変机１の移動を容易とすることができる。キャスター１４ＲＦ，１４ＲＢの夫々は、軸Ｘが正の方向及び軸Ｘが負の方向の夫々に、脚部１３Ｒに接続して設けられている。また、キャスター１４ＬＦ，１４ＬＢの夫々は、軸Ｘが正の方向及び軸Ｘが負の方向の夫々に、脚部１３Ｌに接続して設けられている。即ち、キャスター１４ＲＦ，１４ＲＢ，１４ＬＦ，１４ＬＢの夫々は、座位立位可変机１のＸ−Ｙ平面上の４つの角の夫々に備えられている。
なお、キャスター１４は、座位立位可変机１が移動しないようにすることができる機構を備えると好適である。具体的には例えば、キャスター１４は、トータルロック機構やセルフブレーキ機構を備えるとよい。ここで、トータルロック機構とは、キャスターの向き及びキャスターの回転の両方をロックする機構である。また、セルフブレーキ機構とは、上から荷重がかかることで自動的にキャスターにブレーキがかかる機構である。
【００２７】
フィジェットバー１５は、図１等に示すように、座位立位可変机１の脚部１３Ｒの支持軸１３ＡＲと、脚部１３Ｌの支持軸１３ＡＬとに支持されている。また、フィジェットバー１５は、床面と平行な足掛部位１５Ａを有する。利用者は、立位において、フィジェットバー１５の足掛部位１５Ａに片足を乗せて、座位立位可変机１を利用する。なお、本実施形態におけるフィジェットバー１５の太さは、１３ｍｍである。
フィジェットバー１５の足掛部位１５Ａは、脚部１３の支持軸１３Ａを中心に、回転が可能である。利用者は、軸Ｘの方向に力を加えることにより、Ｘ−Ｚ平面において、フィジェットバー１５に載せた足を揺らすことができる。
ここで、「フィジェットバー」とは、利用者にとっての「そわそわ」、「いらいら」といった、「手持無沙汰」等を、解消することが可能な棒である。即ち、上述したように、利用者はフィジェットバー１５に載せた足を揺らすことで、所謂貧乏ゆすり等と類似する動作により、手持無沙汰等を解消することができる。フィジェットバー１５の効果については、図７乃至図１４を用いて後述する。
【００２８】
フィジェットバー保持部１６は、利用者がフィジェットバー１５を利用しない場合に、利用者にとって邪魔にならない位置にフィジェットバー１５を保持することができる。即ち、利用者は、フィジェットバー１５を利用しない場合、フィジェットバー１５をフィジェットバー保持部１６に保持させることができる。ここで、フィジェットバー保持部１６は、フィジェットバー１５をひっかけて保持する、フック部１６ＡＲ，１６ＡＬを有する。なお、以下、フック部１６ＡＲと、フック部１６ＡＬとを個々に区別する必要が無い場合、これらをまとめて、「フック部１６Ａ」と呼ぶ。
【００２９】
即ち例えば、図４において、フィジェットバー１５は、脚部１３の支持軸１３Ａからみて、軸Ｚが負の方向にぶら下がっている。しかしながら、利用者は、座位立位可変机１を図示せぬ椅子を用いて座位で利用する場合、図４を見ると、フィジェットバー１５は通常椅子が配置される位置にあり、邪魔である。そこで、利用者は、フィジェットバー１５を利用しない場合、図４において、脚部１３の支持軸１３Ａを中心に時計周りで回転させることにより、フィジェットバー保持部１６のフック部１６Ａにひっかけることができる。これにより、フィジェットバー１５は、脚部１３の支持軸１３Ａからみて、軸Ｚが負の方向にぶら下がらずに、脚部１３の支持軸１３Ａからみて、軸Ｘが負の方向に保持される。
これにより、利用者は、フィジェットバー１５を利用しない場合において、フィジェットバー１５が邪魔とならない。
【００３０】
上述をまとめると、座位立位可変机１は、利用者にとっての「手持無沙汰」等を、解消することができるフィジェットバー１５を備える。また、座位立位可変机１は、フィジェットバー１５が不要な場合に、利用者にとって邪魔にならない位置にフィジェットバー１５を保持することが可能な構造を有する。
【００３１】
本願発明の発明者（以下、単に「発明者」と呼ぶ）は、フィジェットバーを教育現場等の机に備えさせることにより、利用者の手持無沙汰を解消したり、第２の心臓ともいわれる利用者の足の運動を促すことにより、学習効率等が向上すると考えた。そこで、発明者は、現在及び将来の教育現場のニーズに基づき、適したフィジェットバー１５の奥行Ｄ、高さＨ、及び長さＬを、実験を行うことにより導き出した。
以下、教育現場のニーズに適切なフィジェットバー１５の奥行Ｄ、高さＨ、及び長さＬについて検討すべき条件等について説明する。
【００３２】
小学校から高等学校までの教室において、生徒（利用者）により１人掛けの机が利用されている。１人掛けの机は、１人の利用者により容易に動かされることが可能である。また、１人掛けの机は、任意の位置に配置されることが可能である。また、１人掛けの机が利用される場合、ペーパーテスト等が実施される際に、机の間の距離が保たれるという、教育現場における条件が満たされる。
【００３３】
更には、発明者は、以下のように将来的な授業の形態の変化について考察した。
【００３４】
中央教育審議会による答申「新たな未来を築くための大学教育の質的転換に向けて〜生涯学び続け、主体的に考える力を育成する大学へ」には、「学生が主体的に問題を発見し解を見いだしていく能動的学修（アクティブ・ラーニング）への転換が必要である」と述べられている。即ち、大学等においては、アクティブ・ラーニングを取り入れた授業が求められている。
ここで、上述の答申によれば、アクティブ・ラーニングとは、「教員による一方向的な講義形式の教育とは異なり、学修者の能動的な学修への参加を取り入れた教授・学習法の総称」である。また、アクティブ・ラーニングにより、「学修者が能動的に学修することによって、認知的、倫理的、社会的能力、教養、知識、経験を含めた汎用的能力の育成を図る」ことができる。具体的には、「発見学習、問題解決学習、体験学習、調査学習等が含まれるが、教室内でのグループ・ディスカッション、ディベート、グループ・ワーク等も有効なアクティブ・ラーニングの方法である」とされている。
【００３５】
発明者は、「従来の机は、発見学習、問題解決学習、体験学習、調査学習を含むアクティブ・ラーニング等の多様な学習方法を取り入れた授業に適している」とは言えないことに気が付いた。そこで、発明者は、以下に示す、アクティブ・ラーニング等の多様な学習方法を取り入れた授業に適した学習用の机の機能要件を抽出した。
【００３６】
即ち、学習用の机は、「立っても座っても学習できる」机が望ましい。
また、学習用の机は、「様々な人数でグループ編成できる」机が望ましい。
また、学習用の机は、「様々な方向に移動しやすい」机が望ましい。
また、学習用の机は、「短時間で机面を上下昇降できる」机が望ましい。
また、学習用の机は、「立位学習時の足・腰の疲れを軽減できる」机が望ましい。
また、学習用の机は、「机同士を隙間なく合わられる」机が望ましい。
また、学習用の机は、「立位でも前にいる他の生徒が視界を遮らない」机が望ましい。
また、学習用の机は、「机を合わせて大きな教材資料を広げられる」机が望ましい。
また、学習用の机は、「発表で演台として使える」机が望ましい。
【００３７】
発明者は、小学校から高等学校までの教室において、上述の機能要件を満たす机として、フィジェットバーを備えた机を導入すると各要件を満たすということに想到した。即ち、アクティブ・ラーニング等においてディスカッションをする場合、利用者は立位での作業が増加する。この場合、利用者は、長時間の立位の維持により足に疲労がたまる。一方、自然人は、通常、歩行等の移動を伴わずに立位を長時間維持する場合、自身の足を片足ずつ休ませることが通常である。しかしながら、利用者は、歩行等の移動を伴わずに立位を長時間維持する場合、効率的に足を休ませることは難しかった。そこで、発明者は、フィジェットバーを備えた机により、足を自身の体重から解放するとともに、積極的に運動可能とすることにより、足の疲労を取り除く効果があるのではないかと考えた。
【００３８】
しかしながら、適切なフィジェットバー１５の奥行Ｄ、高さＨ、及び長さＬは、利用者の体格や好みにより異なる。そこで、発明者は、フィジェットバー１５の奥行Ｄ、高さＨ、長さＬについて考察した。具体的には例えば、フィジェットバー１５の奥行Ｄ、高さＨ、及び長さＬの夫々は、以下に示す条件の夫々を満たすと好適である。
【００３９】
奥行Ｄは、座位立位可変机１の天板１１の上面１１Ｔを成す辺のうち、利用者が対向する辺から、天板１１の上面１１Ｔの４つの辺の中で、自然人（利用者）が利用している状態において、その自然人の腹部と対向する辺を基準として定められるのが好適である。即ち、利用者は、座位立位可変机１の天板１１に対して自身の位置を決定し、その位置から把握される軸Ｘが負の方向の長さに基づいて、利用者の足を乗せるフィジェットバー１５の足掛部位１５Ａが配置されるのが好適である。
例えば、奥行Ｄは利用によりフィジェットバー１５が揺らされた場合において、フィジェットバー１５が利用者の他の足にぶつかる距離よりも長い奥行Ｄであると好適である。また例えば、奥行Ｄは、利用者の膝が伸びすぎる長さより短く、適度に屈曲する長さであると好適である。
【００４０】
また例えば、高さＨは、利用者が自然に足を屈曲することができる高さが望ましい。即ち例えば、高さＨは、利用者の膝が９０度よりも屈曲して内側が鋭角な角度となる高さより低いと望ましい。また例えば、高さＨは、利用者の膝が伸びすぎず、膝が適度に屈曲する程度より高いと望ましい。
【００４１】
また例えば、長さＬは、利用によりフィジェットバー１５が揺らされた場合において、フィジェットバー１５が利用者の他の足にぶつかる距離よりも短い長さＬであると好適である。また例えば、長さＬは、利用によりフィジェットバー１５が揺らされた場合において、フィジェットバー１５の動く範囲が十分に大きくなる長さＬであると好適である。
【００４２】
なお、フィジェットバー１５の奥行Ｄ、高さＨ、及び長さＬの夫々に対する条件の夫々は、最低限満たすべき条件であって、実際には利用者の体格や好みによるところが大きい。そこで、発明者は、フィジェットバー１５の奥行Ｄ、高さＨ、及び長さＬについて、複数の利用者の夫々にとって適切な長さを検証するための実験とその検証を行った。以下、発明者による実験とその検証の結果について説明する。
以下、図６乃至図１２を用いて、座位立位可変机１の幅Ｗ及び奥行Ｄの検討に係る実験とその結果について説明する。
【００４３】
図６は、図１の座位立位可変机を利用する利用者の姿勢のうち、座位立位可変机に寄りかからない姿勢及び寄りかかる姿勢の例を示す図である。
図６に示すように、立位状態の座位立位可変机１の天板１１の上面１１Ｔは、立位の利用者に対して適切な高さを有する。上述したように、利用者は、机面上下昇降部１２の状態を異ならせることにより、利用者自身の身長等に応じた天板１１の上面１１Ｔの高さに、変更させることができる。
【００４４】
図６（Ａ）は、図１の座位立位可変机１を利用する利用者の姿勢のうち、座位立位可変机に寄りかからない姿勢の例を示す図である。
図６（Ｂ）は、図１の座位立位可変机１を利用する利用者の姿勢のうち、座位立位可変机に寄りかかる姿勢の例を示す図である。
図６（Ａ）及び（Ｂ）の例の夫々は、利用者が座位立位可変机１を利用する様子を軸Ｙが正の方向から描かれている。
【００４５】
図６（Ａ）及び（Ｂ）の例の夫々において、利用者は、片足をフィジェットバー１５に載せている。また、利用者は、フィジェットバー１５に載せていない方の足を床面についている。
ここで、図６（Ａ）及び（Ｂ）の例の夫々は、以下の点で互いに異なる。
【００４６】
図６（Ａ）の例において、利用者は、座位立位可変机１の天板１１の上面１１Ｔに、利用者自身の手首や前腕部の一部のみを乗せている。一方、図６（Ｂ）の例において、利用者は、座位立位可変机１の天板１１の上面１１Ｔに、利用者自身の手首や前腕部の全て、さらには肘を乗せている。
【００４７】
また、図６（Ａ）の例において、利用者は、フィジェットバー１５に載せていない方の足について、足首と膝と腰とを軸Ｚの方向に略平行になるように配置して立っている。また、図６（Ｂ）の例において、利用者は、フィジェットバー１５に載せていない方の足について、足首と膝と腰とを軸Ｚの方向に平行でないように配置して立っている。具体的には、利用者は、足首と膝と腰とを床面から軸Ｘが負の方向且つ軸Ｚが正の方向である方向に配置して立っている。
【００４８】
上述のように、利用者は、座位立位可変机に寄りかからない姿勢及び寄りかかる姿勢で座位立位可変机１を利用することができる。
この時、図６（Ａ）及び（Ｂ）に描かれているように、利用者が座位立位可変机１に寄りかかった場合、適切な座位立位可変机１の天板１１の上面１１Ｔの高さは、利用者が座位立位可変机１に寄りかかっていない場合と比較して高い。具体的には、利用者が座位立位可変机１に寄りかかった場合、適切な座位立位可変机１の天板１１の上面１１Ｔの高さは、利用者が座位立位可変机１に寄りかかっていない場合と比較して１０ｃｍ程度高くなる。
【００４９】
このように、利用者の姿勢や身長等により、適切な座位立位可変机１の天板１１の上面１１Ｔの高さは異なる。同様に、利用者の姿勢や身長等により、適切なフィジェットバー１５の奥行Ｄ、高さＨ、及び長さＬは、異なる。そこで、利用者の姿勢や身長等により、どのようなフィジェットバー１５の奥行Ｄ、高さＨ、及び長さＬが適切であるか、及びフィジェットバー１５の有効性に関して、以下のような実験を行った。
【００５０】
図７は、図１の座位立位可変机が備えるフィジェットバーの奥行、高さ、及び長さの検討に係る実験器具の一例を示す図である。
【００５１】
図７に示す実験器具２１は、様々な座位立位可変机１におけるフィジェットバー１５の奥行Ｄ、高さＨ、及び長さＬを再現するための実験器具である。
図７に示すように、実験器具２１は、フィジェットバー２１１を備え、フィジェットバー支持軸２１２Ｒ，２１２Ｌを有する。なお、以下、支持軸２１２Ｒと、支持軸２１２Ｌとを個々に区別する必要が無い場合、これらをまとめて、「支持軸２１２」と呼ぶ。
また、実験者は、異なる支持軸２１２にフィジェットバー２１１を支持させることにより、様々なフィジェットバー１５の奥行Ｄや高さＨを再現可能である。
また、フィジェットバー２１１の奥行Ｄ、高さＨ、及び長さＬの夫々は、フィジェットバー１５の奥行Ｄ、高さＨ、及び長さＬの夫々と基本的に同様である。
【００５２】
ここで、図７に示すように、実験器具２１は、支持部位２１２の軸Ｚの方向の位置を４つの段階に変更可能となっている。また、図７に示すように、実験器具２１は、支持部位２１２の軸Ｘの方向の位置を４つの段階に変更可能となっている。即ち、実験器具２１は、各種各様なフィジェットバー２１１の奥行Ｄ、及び高さＨを再現することが可能となっている。
【００５３】
実験者は、このような実験器具２１を利用し、以下のような実験（以下、「本実験」と適宜呼ぶ）を行った。なお、本実験において、被験者（想定される利用者）の姿勢の基準となる点（以下、「基準点」と呼ぶ）として、以下の通り定義した。即ち、基準点Ｐ１とは、本実験用の座位立位可変机における天板の上面の４つの辺の中で、被験者が利用している状態において、その被験者の腹部と対向する辺の軸Ｙの方向に対する長さの中間の点である。また、基準点Ｐ２とは、基準点Ｐ１からみて、軸Ｚが負の方向の床面上の点である。
【００５４】
実験者は、図示せぬ本実験用の座位立位可変机と上述の実験器具２１とを利用して実験を行った。なお、本実験用の座位立位可変机は、天板の上面の高さ（軸Ｚの方向の長さ）を床面から最低６２．０ｃｍから最高１２７．０ｃｍまで無段階で可変できる机面上下昇降部を備えている。
本実験では、フィジェットバー２１１の奥行Ｄとして、０ｍｍ、８０ｍｍ、１６０ｍｍ、２４０ｍｍの４水準から設定可能とした。また、本実験では、フィジェットバー２１１の高さＨとして、６０ｍｍ、１４０ｍｍ、２２０ｍｍ、３００ｍｍの４水準から設定可能とした。即ち、フィジェットバー２１１を設置することが可能な位置は、奥行４水準×高さ４水準の計１６水準であった。
【００５５】
本実験では、作業姿勢として以下の２つの姿勢を取り上げた。
１つ目の姿勢では、立位の被験者は、本実験用の座位立位可変机に体を寄りかからない姿勢をとる。即ち、被験者は、図６（Ａ）を用いて説明したように、本実験用の座位立位可変机に体を寄りかからない姿勢で作業を行う。このような前提のもと、被験者は、被験者自身にとって作業しやすいと考える天板の上面の高さに設定する。
２つ目の姿勢では、立位の被験者（想定される利用者）は、本実験用の座位立位可変机に体を寄りかかる姿勢をとる。即ち、被験者は、図６（Ｂ）を用いて説明したように、本実験用の座位立位可変机に体を寄りかかる姿勢で作業を行う。このような前提のもと、被験者は、被験者自身にとって作業しやすいと考える天板の上面の高さに設定する。
【００５６】
なお、本実験の被験者は、大学生２０名（男性１０名、女性１０名）であった。また、被験者の健康状態は「普通」５名、「やや良い」１０名、「非常に良い」５名であった。
この被験者の年齢等の平均値及び標準偏差は、以下の通りであった。
被験者の年齢は、２１．２±０．８歳であった。また、被験者の身長は、１６６２．９±９３．０ｍｍであった。また、被験者の体重は、５９．８±１１．６ｋｇであった。また、被験者のＢＭＩは、２１．５±３．３ｋｇ／ｍ２であった。また、被験者の立位肘頭高は、１０１６．６±５８．６ｍｍであった。また、被験者の股下高は、７４４．４±５４．１ｍｍであった。また、被験者の利き手は、右手１９名、左手１名であった。また、被験者の利き足は、右足２０名であった。また、被験者の実験時の軸足（床上に接地する足）は全員左足であった。
【００５７】
実験者は、被験者に、文章を書き写す書字作業を行わせた。
【００５８】
実験者は、本実験に際して被験者に以下の通り教示した。
本実験用の座位立位可変机に体を寄りかからない姿勢の条件では、「立机に体を寄りかからないで自然な立位姿勢をとってください。そして、机の高さを調節し字を書きやすい最適な机の高さを設定してください。つぎに、立机と体との適切な距離をとってください」と教示した。
本実験用の座位立位可変机に体を寄りかかる姿勢条件では、「立机に体を寄りかかる立位姿勢をとってください。その際に、字を書きやすく、体重分散できる楽な姿勢になるよう、立机の高さを設定してください」と教示した。
【００５９】
実験者は、本実験に際し、以下の項目を記録した。
実験者は、立位の被験者の姿勢として、以下の項目を測定し、記録した。
実験者は、被験者に本実験用の座位立位可変机の天板の上面の高さを書字しやすい高さに調節してもらい、その高さを測定した。なお、本実験用の座位立位可変机の天板の上面の高さはフィジェットバー２１１の設置の位置を変えても変更しない。
次に、実験者は、被験者に最も良い軸足の位置を調節してもらい、被験者の軸足の中心の位置を軸足中心位置とした。実験者は、軸足中心位置に印をつけてずれないように基準点Ｐ２と軸足中心間の距離を床に貼り付けた定規により測定した。なお、被験者の軸足の位置は、フィジェットバー２１１の設置位置を変えても変更しない。
次に、実験者は、フィジェットバー２１１に乗せている足の位置を被験者が履いている靴に貼り付けた定規により測定した。被験者の靴の軸Ｘの方向の中央点をゼロとし、つま先側をプラス、踵側をマイナスとし、フィジェットバー２１１の足掛部の中心までの距離を測定した。
【００６０】
次に、実験者は、被験者に書字しやすい位置に書字用のシートを置いてもらい、書字点と基準点Ｐ１までの距離を測定した。なお、書字用のシートの位置はフィジェットバー２１１の設置の位置を変えても変更しない。
次に、実験者は、被験者の重心の位置を測定した。なお、通常、立位姿勢における人間の重心位置は骨盤の中心にある。そこで、被験者の腰の中心から重りを下垂し、軸足中心位置から重りの中心までの距離を測定した。
【００６１】
次に、実験者は、被験者による評価として、以下の項目を記録した。
即ち、実験者は、被験者にフィジェットバー２１１の奥行Ｄと高さＨに対して、以下の項目を主観により評価してもらい、記録した。
実験者は、被験者に対して、フィジェットバー２１１を揺らさないで乗せた場合のフィジェットバー２１１の奥行感について、「非常に近い」、「かなり近い」、「やや近い」、「丁度良い」、「やや遠い」、「かなり遠い」、「非常に遠い」の７段階評定尺度を用いて評価してもらった。
実験者は、被験者に対して、フィジェットバー２１１を揺らさないで乗せた場合のフィジェットバー２１１の高さ感について、「非常に低い」、「かなり低い」、「やや低い」、「丁度良い」、「やや高い」、「かなり高い」、「非常に高い」の７段階評定尺度を用いて評価してもらった。
実験者は、被験者に対して、フィジェットバー２１１を揺らして使用した場合のフィジェットバー２１１の奥行感について、「非常に近い」、「かなり近い」、「やや近い」、「丁度良い」、「やや遠い」、「かなり遠い」、「非常に遠い」の７段階評定尺度を用いて評価してもらった。
実験者は、被験者に対して、フィジェットバー２１１を揺らして使用した場合のフィジェットバー２１１の高さ感について、「非常に低い」、「かなり低い」、「やや低い」、「丁度良い」、「やや高い」、「かなり高い」、「非常に高い」の７段階評定尺度を用いて評価してもらった。
実験者は、被験者に対して、フィジェットバー２１１の揺らしやすさ感について、「非常に揺らしにくい」、「かなり揺らしにくい」、「やや揺らしにくい」、「少し揺らしにくい」、「よくも悪くもない」、「少し揺らしやすい」、「やや揺らしやすい」、「かなり揺らしやすい」、「非常に揺らしやすい」の９段階評定尺度を用いて評価してもらった。
実験者は、被験者に対して、フィジェットバー２１１使用による姿勢の安定性について、「安定しない」、「少し安定する」、「やや安定する」、「かなり安定する」、「非常に安定する」の５段階評定尺度を用いて評価してもらった。
実験者は、被験者に対して、フィジェットバー２１１使用による下肢の負担の軽減感について、「全く軽減しない」、「少し軽減する」、「やや軽減する」、「かなり軽減する」、「非常に軽減する」の５段階評定尺度を用いて評価してもらった。
実験者は、被験者に対して、フィジェットバー２１１に体重を乗せられているかについて、「乗せられていない（足を乗せているだけ）」、「少し乗せられる」、「やや乗せられる」、「かなり乗せられる」、「大いに乗せられる」の５段階評定尺度を用いて評価してもらった。
実験者は、被験者に対して、軸足にかかる体重分散度合、フィジェットバー２１１にかかる体重分散度合、天板の上面にかかる体重分散度合を、全体重を１０として評価してもらった。
実験者は、被験者に対して、フィジェットバー２１１への体重のかけやすさとバーの揺らしやすさを総合して、フィジェットバー２１１のよいか／悪いかについて、「非常に悪い」、「かなり悪い」、「やや悪い」、「少し悪い」、「よくも悪くもない」、「少しよい」、「ややよい」、「かなりよい」、「非常によい」の９段階評定尺度を用いて評価してもらった。
【００６２】
次に、実験者は、被験者によるフィジェットバー２１１の使用状況として、以下の項目を記録した。
即ち、実験者は、被験者にフィジェットバー２１１を利用してもらい、以下の項目を測定し、記録した。
【００６３】
まず、実験者は、実験器具２１の底に貼った１０ｍｍ間隔のメジャーとフィジェットバー２１１とを、本実験の座位立位可変机の天板の裏面に設置したビデオカメラで撮影した。次に、実験者は、被験者に利用されたフィジェットバー２１１の振り幅として、各被験者のフィジェットバー２１１の最適な設置の位置に最も近い設置の位置における振り幅だけを測定した。即ち、実験者は、各被験者のバー最適奥行きを０ｍｍとし、つま先側、踵側の最大振り幅を３サイクル分、ビデオ再生画像に基づき測定した。実験者は、つま先側と踵側の振り幅の合計をフィジェットバー２１１の振り幅とし、その結果を記録した。
【００６４】
実験者は、被験者に対して、以下の順番でフィジェットバー２１１の設置の位置を提示した。本実験におけるフィジェットバー２１１の設置の順序は、以下の通りである。実験者は、設置の位置は最も高い位置で高さを固定し、奥行を最前から１列ずつ最奥まで移動した。その後、実験者は、高さを１段ずつ下げながら、最も低い位置まで同様の移動を繰り返した。
【００６５】
上述の立机に寄りかからない姿勢の条件における測定の結果は、以下の通りであることがわかった。
被験者により調整された座位立位可変机の天板の上面の高さの平均は１０８６．８ｍｍ、標準偏差は５５．８ｍｍであった。また、被験者の軸足中心位置の平均は２１０．８ｍｍ、標準偏差は４９．１ｍｍであった。即ち、被験者の軸足中心位置の平均は基準点Ｃから平均２１０ｍｍ離れることがわかった。
フィジェットバー２１１の奥行が０ｍｍの場合、いずれの被験者も、どの高さでも、足中心位置の平均は、−３５ｍｍ乃至−２５ｍｍに位置した。つまり、フィジェットバー２１１に乗せている足は踵側に２５〜３５ｍｍずれていることがわかった。また、フィジェットバー２１１の奥行が奥になるほど、どのフィジェットバー２１１の高さでも、足中心位置はバーに近づく傾向がみられた。つまり、バーの位置が奥になるにしたがって、バー上に足中心を近づけて乗せていることがわかった。
また、基準点Ｂからの平均書字点位置は２２１．４ｍｍ、標準偏差は２８．９ｍｍであった。
【００６６】
また、発明者は、フィジェットバー２１１の奥行Ｄの主観による評価の結果に対して、「非常に近い」−３点、「かなり近い」−２点、「やや近い」−１点、「丁度よい」０点、「やや遠い」１点、「かなり遠い」２点、「非常に遠い」３点として数値化し、被験者毎にフィジェットバー２１１の最適奥行の推定を行った。
また、被験者のフィジェットバー２１１の設置高さ毎に、フィジェットバー２１１の奥行と奥行に対する奥行感スコアとの回帰分析を行った。フィジェットバー２１１の設置高さ別に奥行感スコアをｙ、フィジェットバー２１１の奥行をｘとし、回帰式を求めた。得られた回帰式より、丁度よい奥行（ｙ＝０のときのｘ値）を算出した。即ち、丁度良いと感じる奥行（奥行感スコア０の奥行）がみられ、その奥行はバーの高さによって異なっていた。
【００６７】
また、発明者は、フィジェットバー２１１の奥行Ｄの主観による評価の結果に対する推定と同様に、フィジェットバー２１１の高さの主観による評価の結果に基づき、被験者毎にフィジェットバー２１１の最適高さの推定を行った。
【００６８】
上述のような実験を行い、図８乃至図１１に示す結果が得られた。
なお、図８及び図９において、被験者は、ｓｕｂ１乃至ｓｕｂ２０という名称で特定されている。
【００６９】
図８は、図６の利用者の姿勢のうち座位立位可変机に寄りかからない姿勢における、フィジェットバーの奥行及び高さの実験結果を示す図である。
全被験者の推定される最適な設置の位置の平均を成人用のフィジェットバーの最適な設置の位置とした。座位立位可変机に寄りかからない姿勢における成人用のフィジェットバーの最適な設置の位置は、奥行１１８．７８ｍｍ、標準偏差３４．２１ｍｍであった。また、座位立位可変机に寄りかからない姿勢における成人用のフィジェットバーの最適な設置の位置は、高さ１６６．６２ｍｍ、標準偏差６５．４７ｍｍであった。また、１２歳から１５歳の平均身長とフィジェットバー実験の被験者の平均身長との比を乗じて中学生用のフィジェットバーの最適な設置の位置を推定した。その結果、座位立位可変机に寄りかからない姿勢における中学生用のフィジェットバーの最適な設置の位置は奥行１１１．２１ｍｍ、高さ１５６．０１ｍｍであった。
【００７０】
図９は、図６の利用者の姿勢のうち座位立位可変机に寄りかかる姿勢における、フィジェットバーの奥行及び高さの実験結果を示す図である。
全被験者の推定最適な設置の位置の平均を成人用のフィジェットバーの最適な設置の位置とした。座位立位可変机に寄りかかる姿勢における成人用のフィジェットバーの最適な設置の位置は、奥行１４０．０４ｍｍ、標準偏差３１．７１ｍｍであった。また、座位立位可変机に寄りかかる姿勢における成人用のフィジェットバーの最適な設置の位置は、高さ１８１．２９ｍｍ、標準偏差５８．２４ｍｍであった。また、１２歳から１５歳の平均身長とフィジェットバー実験の被験者の平均身長との比を乗じて中学生用のフィジェットバーの最適な設置の位置を推定した。その結果、座位立位可変机に寄りかかる姿勢における中学生用のフィジェットバーの最適な設置の位置は奥行１３１．１２ｍｍ、高さ１６９．７４ｍｍであった。
【００７１】
図１０は、図６の利用者の姿勢のうち座位立位可変机に寄りかからない姿勢における、フィジェットバーの振り幅の実験結果を示す図である。
全被験者の座位立位可変机に寄りかからない姿勢におけるフィジェットバー２１１の振り幅平均と最大値、最小値、９０％ｉｌｅ、９５％ｉｌｅ、および平均振り角度、９０％ｉｌｅ振り角度、９５％ｉｌｅ振り角度は、図１０に示す通りである。なお、振り角度は、振り幅角度＝ａｒｃｔａｎ（ｘ／Ｌ）の式により求めた。ただし、この式において、ｘはフィジェットバー２１１の振り幅であって、Ｌはフィジェットバー２１１の長さ（２７０ｍｍ）である。
ここで、「％ｉｌｅ」とは、データを大きさ順で並べ、小さいほうからのどの位置にあるかを見る指標であって、当該位置をパーセントで表現した指標である。即ち例えば、「振り幅（ｍｍ）の９０％ｉｌｅの値が１９０ｍｍである」とは、「図１０に係る実験の被験者毎の振り幅を大きさ順で並べ、小さいほうから９０％の振り幅が１９０ｍｍである」ということを示す。換言すれば、この場合、１９０ｍｍの振り幅が確保されていれば、９０％の被験者自身の（好みの）振り幅が確保されていると認識する。
また、図１０の結果は、各種データの分布を正規分布であるものとして分析した。即ち、実験結果として各種データに関して、平均値及び標準偏差を導出し、当該平均値及び当該標準偏差を持つ正規分布に対して、−∞から所定の幅Ｗまでを積分することにより、分析した。即ち例えば、当該正規分布の全体の積分値に対して、９５％の積分値となる所定の振り幅を導出することで、９５％ｉｌｅとなる振り幅を導出した。
【００７２】
具体的には、全被験者のフィジェットバーの振り幅平均は１９４ｍｍ（振り角度平均３７．９７度）、標準偏差は１０９ｍｍであった。また、フィジェットバーの振り幅最大値は５１０ｍｍ、最小値は４０ｍｍであった。バーの振り幅は、かかと側よりもつま先側に大きい傾向がみられた。
【００７３】
図１１は、図６の利用者の姿勢のうち座位立位可変机に寄りかかる姿勢における、フィジェットバーの振り幅の実験結果を示す図である。
全被験者の座位立位可変机に寄りかかる姿勢におけるフィジェットバー２１１の振り幅平均と最大値、最小値、９０％ｉｌｅ、９５％ｉｌｅ、および平均振り角度、９０％ｉｌｅ振り角度、９５％ｉｌｅ振り角度は、図１０に示す通りである。なお、振り角度は、上述の図１０における式により同様に求めた。
具体的には、全被験者のフィジェットバーの振り幅平均は２２９ｍｍ（振り角度平均４４．５６度）、標準偏差は１０３ｍｍであった。また、フィジェットバーの振り幅最大値は５１０ｍｍ、最小値は５０ｍｍであった。バーの振り幅は、かかと側よりもつま先側に大きい傾向がみられた。
【００７４】
座位立位可変机１の設計者は、フィジェットバー１５の奥行Ｄ、及び高さＨ等を、図８乃至図１１に示す結果等に基づいて設計することができる。
【００７５】
即ち例えば、中学生の利用者が座位立位可変机１に寄りかからない姿勢での利用をすることを前提とすれば、以下のようになる。即ち、フィジェットバー１５の奥行Ｄとして、１１１ｍｍを採用することができる。また、設計者は、フィジェットバー１５の高さＨとして、１５６ｍｍを採用することができる。また、設計者は、フィジェットバー１５の振れ幅が９５％ｉｌｅである３９２．５ｍｍが確保される設計とすることができる。
【００７６】
また例えば、中学生の利用者が座位立位可変机１に寄りかかる姿勢での利用をすることを前提とすれば、以下のようになる。即ち、フィジェットバー１５の奥行Ｄとして、１３１ｍｍを採用することができる。また、設計者は、フィジェットバー１５の高さＨとして、１７０ｍｍを採用することができる。また、設計者は、フィジェットバー１５の振れ幅が９５％ｉｌｅである４０３．５ｍｍが確保される設計とすることができる。
【００７７】
なお、上述の数値は、一例である。即ち例えば、上述の奥行Ｄ等は、実際の設計においては、きりのいい値（例えば、１０ｍｍ単位で四捨五入した値）を採用することができる。
【００７８】
また、座位立位可変机１の設計者は、フィジェットバー１５の長さＬを、以下のような実験結果等に基づいて設計することができる。
【００７９】
実験者は、図８乃至図１１に示す実験と同様に、フィジェットバー１５の長さＬを模した実験器具を設計及び作成の上で使用して、フィジェットバー１５の最適な長さＬについて検討を行った。
実験器具が有するフィジェットバーの長さＬが長くなるほど、フィジェットバーの可動範囲が広くなる。また、振り子の原理に基づけば、利用者が力を加えない場合のフィジェットバーの周期に対して、フィジェットバーの長さＬが影響を及ぼす。
そこで、実験者は、被験者による評価として、「リズム（時間間隔）の好ましさ」を評価してもらった。また、実験者は、被験者による評価として、「総合的な好ましさ」を評価してもらった。
【００８０】
なお、実験器具のフィジェットバーの長さＬとして、３０ｍｍ、１１０ｍｍ、１５０ｍｍ、１９０ｍｍ、２７０ｍｍ、３５０ｍｍの６種類について測定を行った。
【００８１】
この実験の結果、回帰分析等によれば、寄りかからない姿勢において、被験者による「リズム（時間間隔）の好ましさ」に基づく最適なフィジェットバーの長さＬは、２７９．８ｍｍであった。
また、この実験の結果、寄りかからない姿勢において、被験者による「総合的な好ましさ」に基づく最適なフィジェットバーの長さＬは、２９６．９ｍｍであった。
これらをまとめると、寄りかからない姿勢において、フィジェットバー１５の最適な長さＬは、２７０ｍｍ乃至３００ｍｍの範囲に存在することがわかった。
【００８２】
また、この実験の結果、回帰分析等によれば、寄りかかる姿勢において、被験者による「リズム（時間間隔）の好ましさ」に基づく最適なフィジェットバーの長さＬは、３０５．９ｍｍであった。
また、この実験の結果、寄りかかる姿勢において、被験者による「総合的な好ましさ」に基づく最適なフィジェットバーの長さＬは、３１２．０ｍｍであった。
これらをまとめると、寄りかかる姿勢において、フィジェットバー１５の最適な長さＬは、２７０ｍｍ乃至３００ｍｍの範囲に存在することがわかった。
【００８３】
以上、実験の結果を説明した。
以下、揺れるフィジェットバー１５が、揺れないフットレストバーに対してどれだけ有効性を有するかを検証した結果について説明する。
【００８４】
図１２は、図１の座位立位可変机に備えられるフィジェットバーの有効性に関する比較に係る実験器具の一例を示す図である。
即ち、発明者は、フィジェットバー１５の有効性を検証するため、揺れないフットレストバーを備える実験器具２２を作成して検証した。
図１２に示すように、実験器具２２は、フットレストバー２２１を備え、フットレストバー支持軸２２２Ｒ，２２２Ｌを有する。なお、以下、支持軸２２２Ｒと、支持軸２２２Ｌとを個々に区別する必要が無い場合、これらをまとめて、「支持軸２２２」と呼ぶ。
また、実験者は、異なる支持軸２２２にフットレストバー２２１を支持させることにより、様々なフットレストバーの奥行Ｄや高さＨを再現可能である。
【００８５】
実験者は、以下の通り実験を行った。
基本的な条件は、上述の実験と同様である。即ち、実験者は、２０人の被験者に対し、座位立位可変机の天板の高さを調整させ、１分間の書字を行わせた。この時実験者は、上述の実験器具２１，２２の夫々を利用させ、フィジェットバーとフットレストバーを比べて、長時間使用したいと思うのはどちらかについて、「フィジェットバーを使用したい」、「ほぼ同じ」、「フットレストバーを使用したい」の３件法で評価してもらった。
【００８６】
図１３は、図６の利用者の姿勢のうち座位立位可変机に寄りかからない姿勢における、フィジェットバーの有効性の実験結果を示す図である。
図１４は、図６の利用者の姿勢のうち座位立位可変机に寄りかかる姿勢における、フィジェットバーの有効性の実験結果を示す図である。
即ち、図１３及び図１４に示すように、被験者は、座位立位可変机に寄りかかる姿勢及び寄りかからない姿勢のいずれにおいても、フィジェットバーを長時間利用したいと評価した。即ち、フィジェットバー１５は、フットレストバーと比較して有効であると把握される。
以上、揺れるフィジェットバーが、揺れないフットレストバーに対してどれだけ有効性を有するかを検証した結果について説明した。
以下、利用者がどのように座位立位可変机１を利用するのかについて説明する。
【００８７】
利用者は、座位立位可変机１を、立位又は座位で利用することができる。即ち、利用者は、座位立位可変机１を座位で利用する場合、机面上下昇降部１２を伸縮させることにより、天板１１の高さを座位において適切な高さに設定することができる。
【００８８】
この時、利用者は、座位において利用しないフィジェットバー１５をフィジェットバー保持部１６に保持させることができる。即ち、利用者は、フィジェットバー１５を利用しない場合、フィジェットバー１５をフィジェットバー保持部１６に保持させることができる。具体的には、利用者は、フィジェットバー保持部１６が有するフック部１６Ａに、フィジェットバー１５をひっかけて保持することができる。
【００８９】
また、利用者は、座位立位可変机１を立位で利用する場合、机面上下昇降部１２を伸縮させることにより、天板１１の高さを立位において適切な高さに設定することができる。
【００９０】
この時、利用者は、フィジェットバー１５を利用するとき、フィジェットバー保持部１６に保持させられているフィジェットバー１５をフィジェットバー保持部１６のフック部１６Ａから外し、利用することができる。
【００９１】
また、利用者は、キャスター１４を利用することにより、座位立位可変机１を様々な方向に移動することができる。これにより、複数の座位立位可変机１を利用する複数の利用者は、様々な人数でグループ編成できる。
【００９２】
利用者は、座位立位可変机１を上述のように動作させることで、アクティブ・ラーニング等の多様な学習方法を取り入れた授業に快適に取り組むことができる。
以上、利用者がどのように座位立位可変机１を利用するのかについて説明した。
【００９３】
以上本発明の一実施形態について説明したが、本発明は、上述の実施形態に限定されるものではなく、本発明の目的を達成できる範囲での、変形、改良等は本発明に含まれるものである。
【００９４】
例えば、座位立位可変机１は、上述の説明において、アクティブ・ラーニング等の多様な学習に用いられるものとしたが、特にこれに限定されない。即ち、座位立位可変机１は、特にアクティブ・ラーニング等の多様な学習に適しているものの、従来の授業や会議等、任意の用途に利用されてよい。
【００９５】
例えば、座位立位可変机１は、上述の説明において、天板１１と、机面上下昇降部１２Ｒ，１２Ｌと、脚部１３Ｒ，１３Ｌと、キャスター１４ＲＦ，１４ＲＢ，１４ＬＦ，１４ＬＢと、フィジェットバー１５と、フィジェットバー保持部１６とを備えるものとしたが、特にこれに限定されない。即ち例えば、キャスター１４を備えない構成としてもよい。また例えば、机面上下昇降部１２及び脚部１３は一体となっていてもよい。更に言えば、机面上下昇降部１２、脚部１３、及びキャスター１４は、天板１１を支える脚部であれば足りる。
【００９６】
以上まとめると、本発明が適用される机は、次のようなものであれば足り、各種各様な実施形態をとることができる。
【００９７】
即ち、本発明が適用される机（例えば、図１の座位立位可変机１）は、
自然人により立位で用いられるのに適する高さ（例えば、図１の天板１１の高さ）に設定可能である天板と、
前記天板を支える１以上の脚（例えば、図１の机面上下昇降部１２、脚部１３、キャスター１４からなる脚）と、
前記脚に備えられ、立位の前記自然人が足を置いて利用するための、所定の範囲において可動するフィジェットバー（例えば、図１のフィジェットバー１５）と、
を備える机でれば足りる。
【００９８】
これにより、このような机を利用する自然人は、立位において、フィジェットバーに自身の足を乗せ、所定の範囲において可動させ、所謂貧乏ゆすり等のように、利用者にとっての「そわそわ」、「いらいら」といった、「手持無沙汰」等を、解消することができる。
また、利用者は、一方の足を軸足として体重をかけることができる。この場合、利用者の体重は、分散される。これにより、利用者は、自身の下肢や腰に対する負担を軽減させることができる。また、利用者は、フィジェットバー１５を揺らすことにより、机を利用しながらにして下肢を動かすことができる。これにより、利用者は、自身の筋肉によるポンプとしての作用により血の流れが促進される。従って、改善することにより、利用者の脳は活性化することが考えられる。
また、このような机は、上述のように、手持無沙汰等を解消することができるとともに、血流の改善に伴って脳の活性化を図ることができる。更に言えば、このような机のうち一人用のものは、移動が容易である。即ち、このような机は、特に学習用において好適であると言える。
【００９９】
また、前記フィジェットバーを、利用されない状態として保持する保持部（例えば、図１のフィジェットバー保持部１６）、
をさらに備えることができる。
【０１００】
前記フィジェットバーは、
前記自然人が所定の作業をするのに適するとして予め設定された範囲（例えば、設置場所や利用目的から決まる取りうる奥行Ｄの範囲）の中から選択されたパラメータ（例えば、当該自然人の判断結果）に基づいて設定された奥行と、
前記自然人が所定の作業をするのに適するとして予め設定された範囲（例えば、設置場所や利用目的から決まる取りうる高さＨの範囲）の中から選択されたパラメータ（例えば、当該自然人の判断結果）に基づいて設定された高さとを有する、
ことができる。
【０１０１】
また、前記フィジェットバーは、
前記自然人が長時間作業をするのに適するとして予め設定された範囲（例えば、設置場所や利用目的から決まる取りうる長さＬの範囲）の中から選択されたパラメータ（例えば、当該自然人の判断結果）に基づいて設定された長さを有する、
ことができる。
【符号の説明】
【０１０２】
１・・・座位立位可変机、１１・・・天板、１２，１２Ｒ，１２Ｌ・・・机面上下昇降部、１３，１３Ｒ，１３Ｌ・・・脚部、１４，１４ＲＦ，１４ＲＢ，１４ＬＦ，１４ＬＢ・・・キャスター、１５・・・フィジェットバー、１６・・・フィジェットバー保持部
【図１】
2020065925.tif 000003
【図２】
2020065925.tif 000004
【図３】
2020065925.tif 000005
【図４】
2020065925.tif 000006
【図５】
2020065925.tif 000007
【図６】
2020065925.tif 000008
【図７】
2020065925.tif 000009
【図８】
2020065925.tif 000010
【図９】
2020065925.tif 000011
【図１０】
2020065925.tif 000012
【図１１】
2020065925.tif 000013
【図１２】
2020065925.tif 000014
【図１３】
2020065925.tif 000015
【図１４】
2020065925.tif 000016